Podtech/llm-jp-corpus-v4-ja_patent huggingface dataset:
(57)【要約】      （修正有）【課題】今まで、ビテオ撮影画像を基付いて、呼吸に伴う生体局所の変動位置を検出する呼吸状況識別装置において、設定した関心領域から外れることを防止する。【解決手段】呼吸状況測定者の体に、背景と違う色のベルト２、シールを付けて、又は、体に肌色と違うペンで、記号を付けて、ビテオカメラ１により撮影し、背景と違う色境界を認識によって、連続撮影の中、違う色の境界変動量で、呼吸状態を検出する、呼吸に伴う生体局所の変動位置を検出する。【選択図】図１
2011024960.tif 000002
【特許請求の範囲】
【請求項１】
呼吸状況被測定者の体に、背景と違う色のベルト、シールを付けて、又は、体に肌色と違うペンで、記号を付けて、ビテオ撮影し、撮影範囲中、関心領域が設けて、関心領域中背景と違う色境界を認識によって、連続撮影の中、違う色の境界変動量で、呼吸状態を検出する呼吸状況識別装置。
【請求項２】
ビテオ撮影画像中の関心領域範囲は、画像中の違う色を貫通する１本又は複数本の線を組成する呼吸状況識別装置。
【発明の詳細な説明】
【技術分野】
【０００１】      この発明は、ビテオ撮影画像を基付いて、呼吸に伴う生体局所の変動位置を検出し、呼吸状況識別に関するものである。
【背景技術】
【０００２】      今まで、ビテオ撮影画像を基付いて、呼吸に伴う生体局所の変動位置を検出する呼吸状況識別装置は、設定した関心領域から外れることが時時にある。【０００３】      しかし、設定した関心領域から外れることによって、呼吸状況利用するＣＴ、ＭＲＩ、ＰＥＴの撮影は再撮影に必要なります。【０００４】      この発明は、ビテオ撮影し、呼吸に伴う生体局所の変動位置を検出して、関心領域から外れない前提条件で、呼吸状況取得する。【０００５】      上記の課題を解決するため、この発明により、呼吸状況測定者の体に、背景色と違う色のベルト、シールは体に付けで、又は、体に肌色と違うペンで、記号を付けて、ビテオ撮影し、呼吸に伴う生体局所の変動位置を検出する装置である。
【発明の概要】
【発明が解決しようとする課題】
【０００６】      この発明の課題は、上記従来の状況に、ビテオ撮影し、リアル−タイム呼吸に伴う生体局所の変動位置を検出して、設定した関心領域から外れない装置である。
【課題を解決するための手段】
【０００７】      上記の課題を解決し目的を達するために、この発明は、呼吸状況測定者の体に、背景色と違う色のベルト、シールを付けて、又は、体に肌色と違うペンで、記号を付けて、ビテオ撮影し、背景と違う色境界を認識によって、連続撮影の中、違う色の境界変動量で、呼吸状態を検出する、呼吸に伴う生体局所の変動位置を検出することです。
【発明の効果】
【０００８】      この発明により、設定した関心領域から外れる原因によって、呼吸状況利用するＣＴ、ＭＲＩ、ＰＥＴは撮影失敗しない、時間有効利用と効率を高めること。
【図面の簡単な説明】
【０００９】
【図１】      実施例
【図２】      ビテオ撮影画面
【実施例】
【００１０】      呼吸状況測定者の体に、背景と違う色のベルトを付けて、ビテオ撮影して、撮影範囲中、関心領域が設けて、関心領域中背景と違う色境界を認識により、連続撮影の中、違う色の境界変動量で、呼吸状態を検出する、呼吸に伴う生体局所の変動位置を検出することです。
【符号の説明】
【００１１】      ▲１▼ビテオカメラ
▲２▼ベルト
▲３▼関心領域
【図１】
2011024960.tif 000003
【図２】
2011024960.tif 000004
(57)【要約】【課題】箸置きで複数、多様なメッセージを放映出来るものを提供する。【解決手段】箸置きの上部表面に薄く、しかも画像保持に使用電力が極めて少ない動画や静止画を放映出来るディスプレイを取り付ける。ディスプレイを駆動させるための小型電子機器は箸置きの内部に設ける。箸袋に入れた箸を収納出来るように箸置き本体内部に開口部を持つ空間を設ける。【選択図】図１
2011024959.tif 000002
【特許請求の範囲】
【請求項１】
電子ペーパー等、薄いディスプレイを箸置きの上部表面に取り付けたもの。
【請求項２】
請求項１の箸置き内部に開口部を持つ空間を設け箸袋と箸を収納するようにしたもの。
【請求項３】
ディスプレイを駆動させるための諸小型電子機器を箸置きの内部に設けたもの。
【請求項４】
パソコンで作成した画像データを取り込むための入力ポートを箸置き側面に設けたもの。
【請求項５】
ディスプレイを始動させるためのスイッチを箸置き側面に設けたもの。
【発明の詳細な説明】
【技術分野】
【０００１】箸置きに電子ペーパー等薄型のディスプレイを利用する技術である。
【背景技術】
【０００２】近年、有機ディスプレイや電子粉流体を使ったディスプレイ等、薄く、しかも画像保持に使用電力が極めて少ない動画や静止画のディスプレイが複数開発された。
【発明の開示】
【発明が解決しようとする課題】
【０００３】箸置きで複数、多様なメッセージを放映出来るものを提供する。
【課題を解決するための手段】箸置きの上部表面に薄く、しかも画像保持に使用電力が極めて少ない動画や静止画のディスプレイを取り付ける。ディスプレイを駆動させるための小型電子機器は箸置きの内部に設ける。箸袋に入れた箸を収納出来るように箸置き本体内部に開口部を持つ空間を設ける。【０００４】
【発明の効果】
【０００５】飲食店のテーブルに置いて印象的に店名をアピール出来、従来の箸置きに比べて格段に豊富な情報を客に伝えられる。パソコンで作成した任意のメッセージを記憶スティック等で取り込めば特定の客向けの放映も行う事が出来る。（例、「歓迎○△商事様」）
【発明を実施するための最良の形態】
【０００６】図面に添ってこの形態を説明する。
１は箸と箸袋、箸置きがセットされた状態の上面図である。２は箸置き本体である。３は有機ディスプレイや電子粉流体を使った小型ディスプレイである。４は箸袋である。５は箸である。６は箸と箸袋、箸置きがセットされた状態の側面図である。７はディスプレイを駆動させるための諸小型電子機器である。８は記憶スティック等の入力ポートである。９はスイッチである。１０は箸と箸袋を収納するための開口部を持つ空間である。１１はディスプレイの画像が順次変化する様子を示す。各画像はエンドレスに繰り返して放映しても良いし、２〜３回繰り返した後、店名のみの静止画像が保持されても良い。画像データはパソコンで作成し小型記憶スティックを箸置きの入力ポートに差し込んで取り込む。
【産業上の利用可能性】
【０００７】新型の広告媒体。新型のメッセージ媒体。
【図面の簡単な説明】
【０００８】
【図１】実施形態及び構成要素を示した図である。
【図１】
2011024959.tif 000003
(57)【要約】【課題】カチューシャ等に代表されるヘアーバンド前面において色や柄を変化させ、ＴＰＯに合わせて楽しむことが出来る商品を提供する。【解決手段】ヘアーバンド前部全面か部分的にフレキシブルで薄いディスプレイを取り付けそれを駆動させるための機器をバンド内部に収納する。コントローラーはバンド裏側に取り付ける。【選択図】図１
2011024955.tif 000002
【特許請求の範囲】
【請求項１】
電子ペーパー等、自発光式のフレキシブルなディスプレイをヘアーバンドの前面全体もしくは部分的に取り付け、小型電池及び駆動装置をそのヘアーバンド内部に収納したもの。
【請求項２】
請求項１の駆動装置のコントローラーをヘアーバンドの内側表面に露出する状態で取り付けたもの。
【請求項３】
請求項１と請求項２からなるヘアーバンドにツバを取り付け、サンバイザーとしての機能を持たせたもの。
【請求項４】
請求項１と請求項２からなるヘアーバンドに薄手の布等を素材とするスカーフを取り付け人体頭部を覆えるようにしたもの。
【発明の詳細な説明】
【技術分野】
【０００１】ヘアーバンドに薄くて屈曲可能なＴディスプレイを利用する技術である。
【背景技術】
【０００２】近年、有機ｅｌディスプレイなどの薄くて、しかも屈曲可能なディスプレイが複数開発された。
【発明の開示】
【発明が解決しようとする課題】
【０００３】カチューシャ等に代表されるヘアーバンド前部表面において従来固定的であった色や柄を変化させることが出来る商品を提供する。
【課題を解決するための手段】
【０００４】ヘアーバンドの前部全面もしくは一部に薄くて、屈曲可能なディスプレイを貼り、バンド内部にディスプレイを駆動させる小型電池、記憶装置、駆動装置等を収納する。ディスプレイの柄や色を変化させるコントローラーはバンドの裏面に設置する。
【発明の効果】
【０００５】このヘアーバンドを頭部に巻く、あるいは締めた人は一本のバンドで多数の色、柄を楽しむことが出来る。スタジアムや劇場で企業名やキャラクターをアニメ化して表示し配布すれば広告媒体となる。，
【発明を実施するための最良の形態】
【０００６】図面に添ってこの形態を説明する。１はフレキシブルなディスプレイを貼り付けたヘアーバンドの前部表面である。２はバンド内部に収納された小型電池、記憶装置、駆動装置のユニットである。３はディスプレイのコントローラーであり、４はその拡大図である。５はバンド表面のディスプレイの絵柄が縞模様からチェリー模様に変化した様子を示す。
【産業上の利用可能性】
【０００７】従来固定的で変化させることの出来なかったヘアーバンドの表面絵柄を変化させることが出来るので商品としての付加価値が高まる。スタジアムやコンサート会場で配布して、企業のマークやキャラクターをアニメとして表示させれば新型の広告媒体としても利用出来る。
【図面の簡単な説明】
【０００８】
【図１】実施形態及び構成要素を示した図である。
【図１】
2011024955.tif 000003
(57)【要約】【課題】  風呂敷やスカーフ等を裁断・縫製をすることなく、バッグとして利用することを可能にする。【解決手段】  風呂敷やスカーフ等の結び目と持ち手を連結させるための連結補助部及び連結収納部を有することを特徴とする風呂敷バッグの持ち手。【選択図】図４
2011024957.tif 000002
【特許請求の範囲】
【請求項１】
風呂敷やスカーフ等の結び目を連結する連結補助部を装着し、結び目収納部に風呂敷等の結び目を隠すことで、風呂敷やスカーフ等をバッグ様に使用することが出来る持ち手（図３）。
【請求項２】
結び目収納部一体型連結補助部を有する請求項１における風呂敷バッグの持ち手（図５）。
【請求項３】
結び目収納部を持たない露出型連結部を有する請求項１における風呂敷バッグの持ち手（図６）。
【発明の詳細な説明】
【技術分野】
【０００１】  本発明は、バッグの持ち手に風呂敷やスカーフ等の結び目と連結する連結補助部を装着することで、風呂敷やスカーフ等を裁断や縫製をすることなく、持ち手のあるバッグとして利用することが可能になる持ち手に関するものである。
【背景技術】
【０００２】  従来の風呂敷等を利用した袋類は、縫製や裁断をすることで、形状を形成するものが多かった。
【特許文献１】実用新案出願平４−４９７２９号
【特許文献２】実用新案出願２００２−５４３９号
【特許文献３】特許出願２００７−６９４３７号
【発明の開示】
【発明が解決しようとする課題】
【０００３】  そのために、風呂敷やスカーフ等を袋を形成する目的に使用してしまうと、元の形状に戻すことは困難である。
【課題を解決するための手段】
【０００４】  風呂敷やスカーフ等をバッグとして兼用する際に、風呂敷やスカーフ等の結び目が連結される持ち手部の両端部に連結補助部と結び目収納部を設ける。結び目収納部はかぶせる形でも巻きつける形でも良い。素材は布に限らず、プラスティック、金属、木、紙、ゴム等様々な選択が可能で、組み合わせも自由に出来る。
以上を特徴とする風呂敷バッグの持ち手である。
【発明の効果】
【０００５】  本発明を利用することで、風呂敷やスカーフ等を裁断、縫製することなく持ち手のある袋として利用することが出来るので、風呂敷やスカーフが高価なものであっても安心して使用することが出来る上、一般の持ち手付きの袋に近い形状を作り出すことが出来る。更に、本発明の使用者が自ら風呂敷やスカーフ等の結び目を連結補助部に取り付けることが出来るので、風呂敷やスカーフ等の交換が容易である。
【発明を実施するための最良の形態】
【０００６】以下、本発明の実施の形態を説明する。
（イ）持ち手部（１）それに連結された連結補助部（２）結び目収納部（３）から構成される。
（ロ）図１のように、持ち手部（１）の両端部に連結補助部（２）及び結び目収納部（３）を連結する。持ち手部（１）、連結補助部（２）、結び目収納部（３）はその機能を保持するのであれば、部材の寸法は可変であり、素材は布、プラスティック、金属、木、紙、ゴム等様々なものを選択し、組み合わせも可能である。
（ハ）結び目収納部（３）はその目的に叶うものであれば、かぶせても巻きつけてもよい。
（ニ）本発明は以上のような構成でこれを使用するときには、図２のように風呂敷等（４）の一端部を連結補助部（２）に通して風呂敷等（４）のもう一端部と風呂敷等の結び目（５）を作り、図３のように結び目収納部（３）をかぶせる、もしくは巻きつける。また、図５のように風呂敷等（４）の一端部を結び目収納部一体型連結補助部（６）の風呂敷等通し穴（８）に通し、風呂敷等（４）のもう一端部と結び目を作った後、これを結び目収納部一体型連結補助部（６）に収納することも出来る。更に図６に示すように、露出型連結補助部（７）の風呂敷等通し穴（８）に風呂敷等（４）の２端部をそれぞれ通して結び目を作り、これを見せることも出来る。
【図面の簡単な説明】
【０００７】
【図１】本発明本体構造図
【図２】本発明と風呂敷等の連結方法を示す斜視図
【図３】本発明に風呂敷等を連結した時の連結部周辺の詳細斜視図
【図４】本発明に風呂敷等を連結した使用状態を示す斜視図
【図５】本発明の連結補助部と結び目収納部を一体にした結び目収納部一体型連結補助部の一例を示す斜視図
【図６】本発明の結び目収納部を持たない場合の露出型連結補助部の一例を示す斜視図
【符号の説明】
【０００８】１  持ち手部
２  連結補助部
３  結び目収納部
４  風呂敷等
５  風呂敷等の結び目
６  結び目収納部一体型連結補助部
７  露出型連結補助部
８  風呂敷等通し穴
【図１】
2011024957.tif 000003
【図２】
2011024957.tif 000004
【図３】
2011024957.tif 000005
【図４】
2011024957.tif 000006
【図５】
2011024957.tif 000007
【図６】
2011024957.tif 000008
(57)【要約】【課題】本発明は電子タバコ使用者が自分の好みの蒸気の質、味を調整する事が出来、満足して吸引する為のバッテリー、またはバッテリーケースを提供しようとする。【解決手段】電子タバコのバッテリーケース外部に電力調整器を取り付け、その電力調整器のレベルを使用者が手動で切り替える事によりバッテリーケース内部にある電子回路上の可変抵抗器やバッテリーを複数使用した際の回路によって電圧や電流を変化させる事で電力を変化させ使用者が好みの蒸気の質や味を変える事が出来るバッテリー、またバッテリーケースである。【選択図】図１
2011024430.tif 000002
【特許請求の範囲】
【請求項１】
電子タバコのバッテリーまたバッテリーケースに於いて、抵抗や回路によって電圧や電流を変化させ電力の出力を使用者が色々な形状からなる切り替え式スイッチによって手動にて調整出来る機能を持ち合わせたバッテリー、またはバッテリーケース。
【請求項２】
電子タバコ用バッテリー内の可変抵抗や配線回路を電子タバコ使用者がバッテリーケースの外部から電力を調整出来るように回転式やスライド式のスイッチ機能や、それに付随する手動で調整可能な請求項１のバッテリー。
【請求項３】
前記バッテリーの電気供給手段として、電池類、AC電源、DC電源、またそれを供給する為のUSB接続などを可能とする装置を有する請求項１、２のバッテリー。
【発明の詳細な説明】
【技術分野】
【０００１】
本発明は、使用者自身の好みで電力を手動で調整出来るようにした電子タバコ用バッテリーである。
【背景技術】
【０００２】
電子タバコは擬似タバコとして禁煙や副流煙対策など健康対策器機として普及してきており、電気によって液体などの香料を蒸気化して煙草の煙を味わうのと似ている為に禁煙効果も非常に高い。
【０００３】
しかし、タバコ型に拘っていたりしている為、蒸気が出るものの電力不足で煙とは全然違う吸い心地や、電力が強すぎる為に蒸気化器機部が壊れたりという事例が多い為に使用者が電子タバコだけで満足いく物だとは言えない。
【０００４】
せっかく禁煙しようと電子タバコを使用したとしても使用者の満足を満たす物でなければ禁煙も成功するのは難しい事ですし、使用者によって好みが違う為に、それに対応出来る電力出力を限定出来ない。
【０００５】
この改善策として、使用者が手動で電力の出力を調整出来るバッテリーを提供する事で、使用者それぞれが自分の好みの喫煙を可能とする事が出来る。
【先行技術文献】
【特許文献】
【０００６】
【特許文献１】特開平３−２３２４８１号公報
【発明の概要】
【発明が解決しようとする課題】
【０００７】
解決しようとする問題点は、健康の為に禁煙しようとしている人々それぞれが、通常のタバコにより近い物として満足して吸引出来る為のバッテリーを提供することである。
【課題を解決するための手段】
【０００８】
バッテリーが供給する電力や蒸気化器機部の構造によって使用者の満足感は変わってくる為にバッテリーの電力を使用者自身が手動で調整出来るように可変抵抗を回路内に装着しバッテリーケース外部にそれを調整するための装置を取り付けた。
【発明の効果】
【０００９】
本発明により、使用者は好みの蒸気の質、量、味ともに状況に合った電力を調整出来るようになり、満足のいく喫煙感覚が得られる事から禁煙効果が高くなる。
【図面の簡単な説明】
【００１０】
【図１】図１はバッテリーケースの外部図である。
【図２】図２はバッテリー内部回路図である。
【発明を実施するための形態】
【００１１】
バッテリーケース自体を持ち歩く必要性がある為になるべく小さくする必要がある事から内部構造もなるべく簡略化している。
【００１２】
図１は、バッテリーケース外部図で電力調整期３を操作する事によって電力の出力を調整出来る。
【００１３】
図２は、内部回路図で、回路図１は可変抵抗５によって電流変化で電力を調整する方法をとっており、バッテリー４で３Ｖを２本使用の場合、蒸気化器機部３が一般市販化されているタイプで抵抗値が３Ωから４Ωである為、平均値で３．５Ωとして計算した場合、バッテリー３Ｖを２本使用する事で可変抵抗を１０Ωまで可変させる事によりオームの法則Ｅ＝ＩＲの公式より電力を約２．７Ｗから１０．３Ｗの範囲をカバー出来る。
【００１４】
また、図２の回路図２は３Ｖバッテリーを２本使用する事によって配線によって電圧を３Ｖでの使用、６Ｖでの使用と切り替えての使用方法での回路図で、（イ）が直列接続する事によって６Ｖで使用する場合。また、（ロ）が並列接続する事によって３Ｖで使用する場合の回路図である。
【符号の説明】
【００１５】
１    メインスイッチ
２    吸引スイッチ
３    蒸気化器機部接続
４    バッテリー
５    可変抵抗、電力調整器
６    ヒューズ
【図１】
2011024430.tif 000003
【図２】
2011024430.tif 000004
(57)【要約】【課題】  永久磁石を使用した同期発電機や同期電動機において、従来の電機子の構造は、鉄心損失や銅線損失等様々な損失が多く、発電機に於いても電動機に於いても、現在の物より高効率化は不可能である。  本発明は、現在のものより高効率な、発電機や電動機を実現するものである。【解決手段】  電機子の磁極鉄心の構造を従来の一体の物でなく、磁極ごとに分離して、それを非磁性体金属製の金具に取付け、一体化して電機子とする。  此の様な構造の磁極鉄心によって、電機子の鉄心損失や銅線損失等が減少し、高効率な発電機や電動機が実現する。【選択図】図２
2011024399.tif 000002
【特許請求の範囲】
【請求項１】
発電機や電動機に於いて、電機子の磁極鉄心が一体でなく、隣り合った二つの磁極だけ一体になっていて、其れ以外の磁極とは磁気的に完全分離している構造の磁極鉄心を持つ、発電機や電動機の電機子。
【請求項２】
上記の磁極鉄心を、非磁性体金属製、又は合成樹脂製の取付け具に取付け、一体にして中心のシャフトに固定している、発電機や電動機の電機子。
【発明の詳細な説明】
【技術分野】
【０００１】  本発明は、回転するドラムの内壁に永久磁石を取付け界磁極とし、その内側に固定した電機子を配する、発電機又は電動機の高効率化についてである。
【背景技術】
【０００２】  従来からあるこの種の発電機や電動機の電機子は、円板状の硅素鋼板の中心にシャフトを取付ける穴を設け、周辺にコイルを装着するスリットを設け、これを積層し電機子磁極を形成している。【０００３】  又、コイルは集中巻きにしろ分布巻きにしろ、バラ巻きの電線をスリットに挟んで固定している。
【発明の開示】
【発明が解決しようとする課題】
【０００４】  此の様な構造の電機子を有する発電機や電動機は、発電機の場合は駆動力に対する発電出力、電動機の場合は駆動電力に対する作業出力、つまり効率であるが、この効率を改善するのが限界であった。【０００５】  その原因の一つは、今までの形態の電機子は鉄心損失が多い事である。
前記の様な構造の電機子は、鉄心の体積が大きく、界磁極から受ける磁力によって電機子の極が磁化される時、極以外の部分も磁化されてしまい、最も重要な極のコイル中心部分が、極以外のの部分が磁化した分だけ磁力は弱まり効率を悪くする、これが鉄心損失であり、前記の構造では改善の余地はない。【０００６】  原因の二つ目は、前記の構造を有する電機子は銅線損失が多い事である。
前記構造の電機子は、磁極を形成する鉄心の体積に対して、コイルを装着するスリットの容積が極めて少なく、従ってコイルは必要巻き数が決定すると、必要な電流を流せる限界に近い断面積の電線を巻いたコイルを装着する事となり、これが銅線損失と言われる損失を招き、高効率化を妨げている。
【課題を解決する為の手段】
【０００７】  本発明は、前記原因による高効率化妨げの解決として、電機子磁極鉄心の鉄心損失が最小になる形状にした。
電機子の磁極が、界磁極の磁力を受けて磁化する時、コイルを貫通している部分だけ最強になる様に、磁極鉄心は隣の磁極とだけ一体にし、他の磁極とは完全分離している構造にした。
電機子の磁極は、界磁極により隣あった極がＳＮ異極に磁化するので、磁極鉄心は隣り合った磁極だけを一体にすると、理想的な磁気回路を構成する。
【０００８】  この、隣合った磁極を一体にした磁極鉄心を、中心のシャフトに取付けた非磁性体（アルミニゥム、真鍮、ステンレスＳＵＳ３０４等）製の鉄心取付け金具に取付けて、全体の磁極を形成する。
【０００９】  又、前記の磁極鉄心を形成する事により、コイルの装着する容積が大きく増える。
従って、コイルの巻き数が決まっていれば、その巻き数を確保してスペース一杯になる様、断面積の大きい電線を使用する。
【００１０】  さらに、コイルはボビン巻きとし、更に銅線損失を減らすべく、平角電線をフラットワイズ巻きにして、これを磁極鉄心間一杯になる様テーパー状に巻く。
【発明の効果】
【００１１】  前記の様な構成の磁極鉄心やコイルを、電機子に実施すると、鉄心損失及び銅線損失が減少し、発電機の場合発電効率が、電動機の場合駆動効率が、改善（１０％以上）される。
【００１２】  又、従来の構造の発電機や電動機は、電機子には本来動作に不要な回転磁界が発生するが、本発明は電機子の磁極鉄心が必要最小限に分断されているので、不要な回転磁界が発生しないので、その分、効率が改善される。
【００１３】  さらに、本発明方式は、コイルがボビン巻きなので、製造の機械化が可能であり、量産に適している。
【発明を実施するための最良の形態】
【００１４】  以下、本発明の実施の形態を図面に基ずき詳細に説明する。【００１５】  図１は、本発明の発電機又は電動機の正面図である。図２は、電機子の磁極鉄心を鉄心取付け金具に取付けた図であり、図３は、電機子の側面断面図である。又、図４は磁極を構成する硅素鋼板の形状図である。【００１６】  図１に示す様に、回転するドラム１の内壁にセグメント磁石２を取付け界磁極とし、その内側に固定した電機子３を配している。
電機子の磁極鉄心４は、隣り合った極が一体になっていてＶ字の形状である。
これを、固定シャフト５に取付けた非磁性体金属（アルミニウム、真鍮、ステンレスＳＵＳ３０４等）製の、鉄心取付け金具６に一周分取付け、各磁極にはコイル７を装着してある。【００１７】  図２は、磁極鉄心を組み立てた正面図である。
磁極鉄心４は、それぞれ取付けビス８三本によって鉄心取付け金具６に、取付け組み立てられ、固定シャフト５に固定されている。【００１８】  図３は、電機子の側面断面図である。
磁極鉄心４には、ボビンに巻いたコイル７を装着し、固定バンド９で電機子を一周して固定している。【００１９】  図４は、磁極を形成する硅素鋼板の形状てせある。
極間の角度は。１２極の場合３６０°÷１２＝３０°である。
【図面の簡単な説明】
【００２０】
【図１】本発明の実施の形態を示す正面図である。
【図２】本発明の実施の形態を示す、電機子磁極鉄心の正面図である。
【図３】本発明の実施の形態を示す、電機子の側面断面図である。
【図４】本発明の実施の形態を示す、電機子を形成する磁極鉄心の硅素鋼板の正面図である。
【符号の説明】
【００２１】１、ドラム
２、セグメント磁石
３、電機子
４、磁極鉄心
５、固定シャフト
６、鉄心取付け金具
７、コイル
８、鉄心取付けビス
９、固定バンド
【図１】
2011024399.tif 000003
【図２】
2011024399.tif 000004
【図３】
2011024399.tif 000005
【図４】
2011024399.tif 000006
(57)【要約】      （修正有）【課題】効率的に洗浄可能なザルを提供する。【解決手段】ザルの表面積に対して５％以上２５％以下の面積を有し、少なくとも１ｃｍ以上の直径を持ち、略半円形状または略円形状であり、さらに網目部２と同一面上に配置される拡散部３を少なくとも1箇所有することを特徴とするザル。水を拡散部３に当てることにより水は網目構造の壁面に沿って流れるので効率的に洗浄することが出来る。【選択図】図１
2011024740.tif 000002
【特許請求の範囲】
【請求項１】
ザルの表面積に対して５％以上２５％以下の面積を有し、少なくとも１ｃｍ以上の直径を持ち、略半円形状または略円形状であり、さらに網目部と同一面上に配置される拡散部を少なくとも1箇所有することを特徴とするザル。
【発明の詳細な説明】
【技術分野】
【０００１】
本発明はザルに関するものである。  
【背景技術】
【０００２】
従来のザルは図１０に示すように支持部分１と網目構造２によって成り、野菜などの水を切るのに適した構造であった。また、特許文献１のように、１部支持部が幅広に形成されている形状のものもあった。
【先行技術文献】
【特許文献】
【０００３】
【特許文献１】実公昭３６−６３７７号公報
【発明の概要】
【発明が解決しようとする課題】
【０００４】
従来のザルは図１０に示すように洗浄時に水がザルに当たった部分のみ洗浄されている。                                  
水が当たる部分は蛇口またはシャワー蛇口の大きさに依存しているため、洗浄される範囲が決まりそれ以上の広い範囲を効率的に洗うことが難しかった。
また、特許文献１は支持部が幅広の構成となってはいるが、水を網目部に効率的に広げることは困難であった。
【課題を解決するための手段】
【０００５】
本発明者は、上記課題を解決するために鋭意検討した結果、本発明を完成させた。
すなわち本発明はザルの表面積に対して５％以上２５％以下の面積を有し、少なくとも１ｃｍ以上の直径を持ち、略半円形状または略円形状であり、さらに網目部と同一面上に配置される拡散部を少なくとも1箇所有することを特徴とするザル、である。
【発明の効果】
【０００６】
本発明は網目部または支持部に直径に対し５％以上２５％以下の直径でその直径は少なくとも１ｃｍ以上であり、網目部と同一面上に配置される拡散部をもつことで、前記拡散部に洗浄用の水を当てるようにすることで、水をザルの側面の幅広い範囲へ拡散させることが出来、効率的に洗浄することが出来る。
【図面の簡単な説明】
【０００７】
【図１】本発明の一実施形態を示す側面図
【図２】本発明の一実施形態を上から見た図
【図３】本発明の一実施形態の斜視図
【図４】本発明のザルを洗浄する様子を示す図
【図５】本発明の他の実施形態を示す図
【図６】本発明の他の実施形態を示す図
【図７】本発明の他の実施形態を示す図
【図８】本発明の底面部に拡散部を持つ図
【図９】網目に沿っていない配置に拡散部を持つ図
【図１０】従来のザルを洗浄する様子を示す図
【発明を実施するための形態】
【０００８】
以下、本発明を図を参照しながら詳細に説明する。
図１は本発明の一実施形態を示す図である。
【０００９】
本発明の図１のザルは支持部１と網目部２を有するザルであり、水を拡散部３に当てることにより水は網目構造の壁面に沿って流れるので効率的に洗浄することが出来る。
【００１０】
拡散部の形状としてザルの表面積の５％以上２５％以下の面積であり、また少なくとも直径１ｃｍ以上で、網目部と同一面についていることが望ましい。ザルの表面積の５％より小さい面積では、小さすぎて水を拡散することが出来難く、２５％を超えるとザルとしての水を切る機能に障害をもたらす恐れがあるためである。また、拡散部の直径が１ｃｍより小さいと、やはり小さすぎて水を拡散することが難しくなる可能性がある。水は物に当たると３６０度の方向に広がる性質を持つため、拡散部は略円状または、略半円形状が好ましい。また網目部と同一面上に配置されていないと全体を覆うように拡散していかないため網目部と同一面上に配置されていることが好ましい。
【００１１】
拡散部は通常ざるに用いられる材質であれば良くザルの材質がステンレスの場合は支持部の一部を広げるという方法などがありプラスチックなら一体形成をするという方法などが挙げられる。また、拡散部とザルはそれぞれ別の部材を使っても良い。拡散部の個数とその大きさは、ザルの大きさ、形状による。よってその大きさと個数はザルの表面積の５％以上２５％以下の面積であり、また少なくとも直径１ｃｍ以上で、網目部と同一面についている略円状または略半円形状である拡散部であることを満たした上で適宜決められる。
【００１２】
図２、図３は図１のザルを別の角度から見たものである。底面部に拡散部３を有している。拡散部３に洗浄水を当てることにより効率的にザルを洗浄することが出来る。広範囲に洗浄水を拡散することが可能となる。本実施形態はどのような形状のザルにも適応可能であるが、底面部より開口部の径が大きいザルには特に好適に用いられる。
【００１３】
図４は図１のザルを洗浄しているときの様子を示すものである。矢印は拡散部に水を当てた時の水の流れを示す。拡散部３に当たった水は、ザル表面を覆うように流れ、広範囲を洗浄することができる。
【００１４】
他の実施形態の一つとして図５を挙げる。本実施形態ではザルの上部の支持部１にそって拡散部３を作っても良い。底面部と開口部の径の差が余り見られないようなザルには本形状が好適に用いられる。  
【００１５】
他の実施形態の一つとして図６のように拡散部３を作っても良い。
【００１６】
他の実施形態の一つとして図７のような支持部１をもつザルでは、底辺部に拡散部３を支持部に数箇所と中央に一箇所作っても良い。
【実施例】
【００１７】
以下に実施例を示す。表１は実験に使用したざるの概要と、洗浄を行った結果である。
【表１】
2011024740.tif 000003
【００１８】
図１の拡散部が５％の場合ザルの表面に沿って上手く拡散できました。図１で網目部に拡散部が沿っている場合上手く水が拡散出来ました。
（比較例）
図８のように拡散部が網目に沿っていない場合、網目に沿って拡散しませんでした。
図１の拡散部が表面積２％の場合、小さすぎ、水が上手く当たらず拡散しにくかった。図１の拡散部が網目に沿っていない場合は網目方向に水が拡散できませんでした。
図１の拡散部が表面積の３０％の場合ザル本来の水を切る機能を損なってしまいます。
【符号の説明】
【００１９】
１  支持部
２  網目部
３  拡散部      
【図１】
2011024740.tif 000004
【図２】
2011024740.tif 000005
【図３】
2011024740.tif 000006
【図４】
2011024740.tif 000007
【図５】
2011024740.tif 000008
【図６】
2011024740.tif 000009
【図７】
2011024740.tif 000010
【図８】
2011024740.tif 000011
【図９】
2011024740.tif 000012
【図１０】
2011024740.tif 000013
(57)【要約】【課題】誘電体導波路との接続が、従来の金属導波管ではなく、同軸ケーブル、マイクロストリップライン、ストリップラインともできるようにする。【解決手段】プリント基板アンテナ、特にテーパードスロットアンテナ、フェルミアンテナを介して誘電体導波路に接続する。【選択図】図３
2011024176.tif 000002
【特許請求の範囲】
【請求項１】
誘電体導波路の電磁波の進行方向に直交した電界方向とアンテナの電界方向を一致させて送信または受信用のプリント基板アンテナを配設した電磁波伝達部
【請求項２】
誘電体導波路の電界の一番強い部分にプリント基板アンテナを配設した請求項１の電磁波伝達部
【請求項３】
誘電体導波路の壁面にプリント基板アンテナを配設した請求項１の電磁波伝達部
【請求項４】
誘電体導波路の端部にプリント基板アンテナを配設した請求項３の電磁波伝達部
【請求項５】
誘電体導波路の電界方向が１ｍ以上である請求項１の電磁波伝達部
【請求項６】
誘電体導波路の外側に、誘電体導波路よりも低い誘電率の層を設け、その部分にプリント基板アンテナを配設した請求項４，５の電磁波伝達部
【請求項７】
プリント基板アンテナがテーパードスロットアンテナである請求項１〜６の電磁波伝達部
【請求項８】
プリント基板アンテナがフェルミアンテナである請求項１〜６の電磁波伝達部
【発明の詳細な説明】
【技術分野】
【０００１】  本発明は、同軸ケーブル、２心平行線、コプレナーラインなどの伝送路から誘電体導波路へ電磁波を伝達したり、またはその逆方向に伝達することに関するものである。
【背景技術】
【０００２】  ミリ波、テラヘルツ波及び光領域の波を伝送する場合、誘電体導波路（ここではイメージラインや表面波ラインなどもこれに含める。）など金属部分のエネルギー布の少ない伝送モードが重要になってきた。これは誘電体導波路の挿入損失が金属導波路に比べ数分の１程度に減少することでわかる。なお、回路部分はストリップライン、マイクロストリップライン、コプレナーライン及び同軸ケーブルで構成される場合が多い。すなわちこれら２つの伝送路を接続する必要がでてきた。
なお、今までは金属導波管と誘電体導波路との結合が主であった。
【発明の開示】
【発明が解決しようとする課題】
【０００３】  ストリップライン、マイクロストリップライン、コプレナーライン及び同軸ケーブルから誘電体導波路へ電磁波を伝達する手段を開発する必要がでてきた。
【課題を解決するための手段】
【０００４】  プリント基板アンテナは厚さが薄く、しかも、ストリップライン、マイクロストリップライン、コプレナーライン及び同軸ケーブルとの接続が容易であり、一方アンテナからの電磁波の放射を誘電体導波路に集束させれば良い。
なお、テーパードスロットラインはプリント基板の基板と平行方向に電波が放射される。しかもゲインの高い設計をすれば、９０％以上の電磁波は誘電体導波路に入射する。さらにフェルミアンテナを用いれば１オクターブ以上の広い周波数帯域で使用が可能である。
なお、フェルミアンテナの工業所有権番号は次の通りである。
特許第３４３４６５５号「平面アンテナ及びアンテナアレイ」
特許第３４６２９５９号「平面アンテナ」
【実施例】
【０００５】以下に実施例１を示す。プリント基板アンテナの１例として、図１に示すテーパードスロットアンテナについて説明する。斜線部分が導体パターンで、同軸ケーブル３の中心導体は上側の導体に接続している。また同軸ケーブルの外部導体は下側の導体に接続している。なお、同軸ケーブルはアンバランスケーブルなので、下側の導体部は垂直に下がる部分がバランの役割を果たしている。このアンテナは右側に行くに従い、ラッパ状に広がっていき、電波は右の方向に進んでいく。また、電界は４の方向である。なお、受信の場合は左から来る電波を受ける。また、このアンテナに接続できる伝送線路として、ストリップライン、マイクロストリップライン、コプレナーラインなどがある。【０００６】以下に実施例２を示す。プリント基板アンテナの１例として、図２に示すフェルミアンテナについて説明する。このアンテナの実施例１との違いは、１つの導体がプリント基板の裏側にあることと、導体の両翼に凹凸のコルゲートがあることである。なお、コルゲートは周波数帯域を広くする役割をしている。テーパードスロットアンテナもフェルミアンテナも、電波は右の方向に放射する。これらのアンテナを誘電体で挟んだら誘電体の部分に電波が集束して進んでいく。【０００７】以下に実施例３を示す。誘電体導波路の電界の一番強い部分にプリント基板アンテナを配設した例を図３に示した。誘電体導波路の幅方向の中央部に長方形の溝を掘って、この溝にアンテナを埋めると効率よく電磁波が右に進行していく。また、右から電磁波が進行してくると、アンテナは効率よく電磁波を受信する。なお、誘電体導波路８は電磁波の伝送部で、一般的にここをコア部分という。このコアをコアよりも誘電率の低い材料で包むとこの部分に触れても挿入損失に影響を与えない。ここをクラッドと言い、図には無いがクラッドを設けても良い。【０００８】以下に実施例４を示す。誘電体導波路の壁面にプリント基板アンテナを配設した例を図４に示した。壁面に垂直に電界があり、電磁波の伝達はするが、導波路の電界強度の弱い部分なので、電磁波変換効率は悪い。しかし、導波路に溝を掘らなくても良いし、電磁波伝達部を移動させることも出来る。電磁波伝達部を走らせながら、電磁波を伝達することも出来る。【０００９】以下に実施例５を示す。誘電体導波路の端部にプリント基板アンテナを配設した例を図５に示した。伝送線路と伝送線路を接続するには一般的にはこの方法が良い。【００１０】以下に実施例６を示す。実施例４の場合で誘電体導波路の電界方向が１ｍ以上である場合の例である。誘電体導波路の電界方向の幅が広くなるとプリント基板アンテナの方向を変えるとアンテナを向けた方向に電磁波が進行するようになる。対向にも同様のアンテナを置き、双方のアンテナを対向させると面上で１対１の通信が可能になる。【００１１】以下に実施例７を示す。誘電体導波路の外側に誘電体導波路よりも低い誘電率の層を設け、その部分にプリント基板アンテナを配設すると、誘電体導波路との伝達効率は悪くなる。しかし、誘電率の低い層の外側の電界強度は弱いので、そこに手を触れても、伝送路に影響を与えない。また、アンテナを移動させたり、アンテナの方向を変えたりすることも自由である。
【図面の簡単な説明】
【図１】テーパードスロットアンテナの例。
【図２】フェルミアンテナの例。
【図３】プリント基板アンテナを電界の一番強い部分に配設した例。
【図４】誘電体導波路の壁面にプリント基板アンテナを配設した例。
【図５】誘電体導波路の端部にプリント基板アンテナを配設した例。
【図６】誘電体導波路の電界方向が１ｍ以上である場合の例。
【符号の説明】１．テーパードスロットアンテナ
２．プリント基板アンテナ
３．電界の方向
４．電磁界の進行方向
５．フェルミアンテナ
６．同軸ケーブル
７．プリント基板アンテナ
８．誘電体導波路
【図１】
2011024176.tif 000003
【図２】
2011024176.tif 000004
【図３】
2011024176.tif 000005
【図４】
2011024176.tif 000006
【図５】
2011024176.tif 000007
【図６】
2011024176.tif 000008
(57)【要約】【課題】  従来は、タオルを１枚１枚手で畳みそして、のし紙を巻きつけるという工程を人が行なっていたため、タオルの枚数が多くなると疲労し、たいへんである、という問題があった。【解決の手段】半円運動をし、又逆方向に半円運動をする２枚の板によりタオルを４分の１に畳み、そして、押し出しガイドと円筒とそれに沿わせたガイドと、給紙機より、タオルを、円筒の中に挿入し、円筒とガイドの間に、のし紙を給紙機により挿入し、押し出しガイドにより、タオルとのし紙を、同時に、押し出し、タオルとのし紙を一体化させる事が出来る。【選択図】図１
2011201597.tif 000002
【特許請求の範囲】
【請求項１】
半円運動をし、又逆方向に半円運動をして、元の状態に復帰する、タオルがずれないように加工した二枚の板、又は、タオルがずれない材質で作られた二枚の板と一枚の固定された板の三面で構成された台に、タオルを一枚開いた状態で置き、その下にあるタオルの，半分の大きさの前述の板の、短いほうの端を中心にして、半円運動をさせ，タオルを半分に畳み，そこで、その板を逆方向に半円運動をさせて、元の状態に戻す事より，開いた状態の一枚のタオルは，半分に畳まれる。次に，その半分に畳まれた状態タオルの下には、そのタオルの半分の前述の板があり，そのタオルの半分の位置を中心にその板が半円運動をして，そのタオルを又，半分に畳み，その板は逆方向に半円運動をして、元の状態に復帰し、一枚の開いたタオルを二回畳む事を特徴とするタオル畳み装置。
【請求項２】
畳まれたタオルを、挿入する円筒と、円筒の外側に、任意の幅の、間を設けたガイド板を沿って取りつけ、その間に、給紙機により、のし紙を挿入し、円筒の縁に沿って、のし紙を、送りだし、円筒の中のタオルとのし紙を同時に押出し一体化する請求項１のタオルのし紙一体化装置。
【発明の詳細な説明】
【技術分野】
【０００１】  本発明は、タオルを、畳み、タオルとのし紙を一体化する装置に関する。
【背景技術】
【０００２】  従来、タオルを簡単に畳み、タオルとのし紙を一体化する装置は、なかった。
【発明の開示】
【発明が解決しようとする課題】
【０００３】  本発明は、従来、人が、何枚ものタオルを、手で、一回、一回、畳み，のし紙を巻きつけ、疲労し、大変であるという問題を解決する為になされたものである。
【問題を解決するための手段】
【０００４】  本発明は、上記の目的を達成するために、下記の、タオルを、簡単に畳み、タオルとのし紙を一体化する装置を、提供するものである。
【０００５】  （１）本発明は、半円運動をし，又逆方向に半円運動をして，元の状態に復帰する、タオルがずれないように加工した二枚の板、又は、タオルがずれない材質で作られた二枚の板と一枚の固定された板の三枚で構成された台に，タオルを一枚開いた状態で置き，その下にあるタオルの，半分の大きさの前述の板の，短い方の端を中心にして，半円運動をさせ，タオルを半分に畳み，そこで，その板を逆方向に半円運動をさせて元の状態に戻す事により，開いた状態の一枚のタオルは，半分に畳まれる。次に，その半分に畳まれた状態のタオルの下には，そのタオルの半分の前述の板があり，そのタオルの半分の位置を中心にして，その板が半円運動をして，そのタオルを又，半分に畳み，その板は逆方向に半円運動をして，元の状態に復帰し，一枚の開いたタオルを二回畳む事を特徴とする。
（２）請求項１の、畳まれたタオルを，挿入する円筒と，円筒の外側に，任意の幅の，間を設けたガイド板を、沿って取りつけ，その間に，給紙機により，のし紙を挿入し、円筒のふちに沿って，のし紙を送りだし，円筒の中のタオルとのし紙を同時に押出し一体化する事を特徴とする。
【発明の効果】
【０００６】  上述したように、本発明は、開いた状態の一枚のタオルを，簡単に二回折り畳む事が出来，又，折り畳まれたタオルとのし紙を簡単に一体化する事が出来る。
【発明を実施するための最良の形態】
【０００７】  以下、本発明の実施の形態を、図１に基ずいて説明する。【０００８】  図１において、１は，開いた状態の一枚のタオルで、２は、タオルの半分の大きさの板で、３は、タオルの４分の１の大きさの板で、４は、固定された板で、５は、半円運動し、又逆方向に半円運動をする方向を表し、６は、畳まれた状態のタオルで、７は、任意に畳まれたタオルで、８は、タオルを挿入する円筒で、９は、のし紙を挿入するためのガイドで、１０は、のし紙で、１１は、のし紙を送り出す給紙機で、１２は、タオルの挿入用ガイドで、１３は、タオルの移動方向で、１４は、一体化されたタオルとのし紙の移動方向で１５は、押し出しガイドで、１６は、一体化されたタオルとのし紙である。【０００９】  以下、上記構成の動作を説明する。１は、開いた状態の１枚のタオルで、そのタオルを２、３、４の板の上に置き、２の板が半円運動をして、タオルを半分に畳み、そして、又、逆方向に半円運動をして、２の板は元の状態に戻る。次に３の板が半円運動をして、半分に畳まれたタオルを、又、半分に畳み、４分の１の大きさにし、逆方向に半円運動をして、３の板は、元の状態に戻る。開いた状態の一枚のタオルは、４の板の上で、４分の１に畳まれ６の畳まれた状態のタオルになる。そして、任意に畳まれたタオル７は、１５の押出しガイドで、８の円筒の中に挿入される。同時に、１１の給紙機が、１０の、のし紙を、９のガイドに沿って挿入し、７のタオルと１０の、のし紙が、一緒に押し出され、のし紙とタオルを、一体化する事が出来る。
【図面の簡単な説明】
【００１０】
【図１】  〔請求項１〕〔請求項２〕タオルを畳む装置とタオルとのし紙を一体化する装置の斜面図。
【符号の説明】
【００１１】  １、  開いた状態の一枚のタオル
２、  タオルの半分の大きさの板
３、  タオルの４分の１の大きさの板
４、  固定された板
５、  半円運動し，また逆方向に半円運動
６、  畳まれた状態のタオル
７、  任意に畳まれたタオル
８、  円筒
９、  ガイド
１０、  のし紙
１１、  給紙機
１２、  挿入用ガイド
１３、  タオル移動方向
１４、  一体化されたタオルとのし紙の移動方向
１５、  押し出しガイド
１６、  一体化されたタオルとのし紙
【図１】
2011201597.tif 000003
(57)【要約】【課題】夜間に於ける自転車事故を防止するために、ドライバーより確認しやすくするための、自転車のアルミ反射盤を提供する。【解決手段】  アルミ盤表面に多数の稍凸球状からなるアルミ、反射盤本体と、前記アルミ反射盤を、自転車用籠の前面部と左右側面部に設け、夜間における自転車位置を鮮明に確認することを特徴とする自転車のアルミ反射盤。【選択図】図１
2011201521.tif 000002
【特許請求の範囲】
【請求項１】
アルミ盤表面に多数の稍凸球状からなるヘッドライト形状のアルミ反射盤本体と、前記アルミ反射盤を、自転車用籠の前面部と左右側面部に設け、夜間における自転車位置を鮮明に確認することを特徴とする自転車のアルミ反射盤。
【発明の詳細な説明】
【技術分野】
【０００１】  本発明は、夜間に於ける自転車事故を防止するために、自転車籠の前面下部にヘッドライト形状のアルミ反射盤装置に関するものである。
【背景技術】
【０００２】  従来は、前後車輪のスポークに直径３．５ｃｍの回転反射球と、前輪車側に直径４ｃｍの反射球が設けられているだけであった。
また、夜間車道を無電灯でスピード走行して来る自転車の見落とし事故が多発化しているのである。
【発明の開示】
【発明が解決しようとする課題】
【０００３】  そのために次のような問題点があった。
（イ）回転反射球として、余りにも小さく、自転車のダイヤモンドアクセサリーとも言われ、回転すると遠方から見ると糸輪のように見え、霧又は、雨天の場合反射効果は、皆無に等しかった。
（ロ）また、上述のように夜間兼用道路を走行する場合危険性があり、事故発生の原因は、出合い頭事故の次点とされているのである。
警察庁の統計によると、２１年度自転車の事故件数は、１５万６千３７３件であり、死者は、６９２人とされている。【０００４】  本発明は、このような従来の構成が有していた問題を解決しようとするものであり、ヘッドライトを効果的に反射し、事故防止に安全なる反射盤を実現することを目的とするものである。
【課題を解決するための手段】
【０００５】  そして、本発明は上記目的を達成するためにアルミ反射盤表面に多数の稍凸球状からなるヘッドライト形状の、アルミ反射盤本体と、前記アルミ反射盤を自転車用籠の前面部と左右側面部に設け、夜間における自転車の位置を鮮明に確認することを特徴とするものである。【０００６】  上記第１の課題解決手段による作用は次の通りである。厚さ０．３ｍｍのアルミ盤表面全体を直径４ｍｍの、稍凸球面状とし、強力反射作用による反射盤を形成し、自転車用籠の前面と左右側面部にそれぞれ設け、ドライバーに自転車の位置を鮮明に確認できるようにしたものである。
【発明の効果】
【０００７】  上述したように本発明の反射盤本体は、ヘッドライト形状であり、同一の明るさのある反射的作用を及ぼし、走行中運転席の如何なる角度からでも確認することができるように構成されているので、従来反射盤材と異なり、眼前を眩惑するような危険性が皆無に等しく、効果を発揮する安全性の高い自転車のアルミ反射盤を提供できる。
【図面の簡単な説明】
【０００８】
【図１】本発明の反射盤の一部切欠き正面図
【図２】本発明の反射盤の一部切欠き側面図
【発明を実施するための最良の形態】
【０００９】  以下、本発明の実施の形態について説明する。
（イ）自転車籠（２）の前面下部に、稍凸面半球状からなるアルミ反射盤本体（１）がもうけられている。
（ロ）アルミ反射盤（１）の取り付け方法として、籠目を利用して、ボルト（３）を通しナット締めつけにより設けられている。
（ハ）装着は、ライトを受けやすくするために、反射盤本体（１）を垂直に設けられている。
本発明は、以上の構成よりなっている。
本発明を使用するときは、アルミ反射盤（１）を前述の如く自転車籠（２）の前面中央下部に設置するにより、前方からのヘッドライト範囲中心部を完全に、反射盤（１）に反映することができる。従来の自転車同士事故は、自転車電灯（７）が余りにも小刑状であり、車体下部に設けられ現状において、自転車専用道路における見落す事故が、多発化の傾向にあり、前述の如く統計上の数字が現出されているのである。
以上のように、本実施形態を仕入れコストが低い材料を用い生産し、全車に設け無電灯走行を厳重に取り締まるにより、現在事故が半減される効果を発揮するものである。
【符号の説明】
【００１０】１  アルミ反射盤本体
２  籠
３  ボルト・ナット
４  ハンドル
５  タイヤ
６  反射球体
７  電灯
【図１】
2011201521.tif 000003
【図２】
2011201521.tif 000004